(57)【要約】      （修正有）【課題】踏み面の増大と連結機能を有するエアロビクスステップ構造を提供する。【解決手段】ステップ本体１０は、踏み面１１、周側壁１２、及び底部１３を備え、該ステップ本体１０の周側壁１２には、少なくとも一つの組立てに供する側面に設けられる連結部２０を有し、該連結部２０は、間隔を置いて設けられる雄型連結体２１または雌型連結体２２よりなる。該ステップ本体１０の周側壁１２における組立てに供するための側面は、別のステップ本体１０の周側壁１２における側面にぴったり付けるように設けられる。それにより、同一形態の２つのエアロビクスステップ構造間が該連結部２０を通じて、相互に嵌め合い、踏み面が増大、連結されて、位置決めが行われる。【選択図】図１
0003173085.tif 000002
【実用新案登録請求の範囲】
【請求項１】
踏み面１１、周側壁１２と底部１３を備えてなるステップ本体１０が備わり、該ステップ本体１０は、方形面、長方形面、多辺形面、円形分割面、楕円形分割面のいずれかの形態に設けられているが、
該ステップ本体１０の周側壁１２には、少なくとも一つの組立てに供する側向に設けられる側向増大連結部２０を有し、該側向増大連結部２０は、間隔を置いて設けられる雄型連結体２１または雌型連結体２２よりなり、
該ステップ本体１０の周側壁１２における組立てに供するための側向は、側辺を突き当てて、ぴったり付けるように設けられ、組立機能を持たないほかの側向は、プリセット形態に設けられ、前述した突き当てて、ぴったり付ける形態に制限されないが、
それにより、同一形態の二エアロビクスステップ構造間が該側向増大連結部２０を通じて、相互に嵌め合い、踏み面が増大、連結されて、位置決めが行われることを特徴とする踏み面の増大と連結機能を有するエアロビクスステップ構造。
【請求項２】
踏み面１１、周側壁１２、底部１３と側向増大連結部２０を備えてなる該ステップ本体１０は、ステップ本体１０の底部１３にある各辺の角エリアにはまた、高さ調整脚台３０が組み立てられ、該高さ調整脚台３０の上部とステップ本体１０の底部１３にある各辺の角エリアには、それに合わせるための組立位置決め部１４、３１が設けられ、それにより、各該高さ調整脚台３０の組立状態を位置決めさせるようにするが、各該高さ調整脚台３０の外側には、ステップ本体１０の周側壁１２にある側向の増大連結部２０の雄型連結体２１または雌型連結体２２に対応するために、同一形態の雄型連結体２１Ｂまたは雌型連結体２２Ｂが設けられてあり、それに、該ステップ本体１０の底部１３にある中央エリアには、複数の脚台収納槽１が凹設され、各該脚台収納槽１５には、各該高さ調整脚台３０がしっかりと挿入、収納されるように設けられ、加えて、各該高さ調整脚台３０外側に対応する各該脚台収納槽１５の雄型連結体２１Ｂは、回避縁１６が設けられていることを特徴とする請求項１に記載の踏み面の増大と連結機能を有するエアロビクスステップ構造。
【請求項３】
該側向増大連結部２０の雄型連結体２１は、Ｔ字形突出しブロックで、該雌型連結体２２は、該周側壁１２の底部から上へ縦向きに切断された長さで、側向きに該周側壁１２を貫通した切断型貫通切込みに設けられていることを特徴とする請求項１または請求項２に記載の踏み面の増大と連結機能を有するエアロビクスステップ構造。
【請求項４】
該ステップ本体１０の踏み面１１周辺には更に、環状肩部１７が設けられ、該ステップ本体１０の底部１３は、それに対応するためのフレーム縁１８が設けられ、それにより、同一形態の二ステップ本体１０が相互に重なり、該フレーム縁１８により環状肩部１７に嵌め込まれ、位置決められるように設けられていることを特徴とする請求項１または請求項２に記載の踏み面の増大と連結機能を有するエアロビクスステップ構造。
【請求項５】
該雄型連結体２１と雌型連結体２２の設置形態は、
第１は、該ステップ本体１０の周側壁１２において、相互に縦向きに対向した、両側に間隔を置いた雄型連結体２１、及び、該周側壁１２において、相互に縦向きに対向した、他方の両側に間隔を置いた雌型連結体２２が設けられている場合、
第２は、在ステップ本体１０の周側壁１２の各側はいずれも、雄型連結体２１と雌型連結体２２が共に設けられ、相互に対向して組み立てられる側向増大連結部２０間には、雄、雌型連結体２１、２２が対向して設けられている場合、
第３は、該ステップ本体１０の周側壁１２の各側向はいずれも、雌型連結体２２が設けられ、該雄型連結体２１は独立した組立式部品として設けられているが、該雄型連結体２１には、対称した二つの嵌込側２１３が設けられ、各該嵌込側２１３は、ステップ本体１０の周側壁１２にある雌型連結体２２と嵌め合い、連結され、位置決められるように設けられている場合のいずれか一つの形態で行われることを特徴とする請求項１または請求項２に記載の踏み面の増大と連結機能を有するエアロビクスステップ構造。
【考案の詳細な説明】
【技術分野】
【０００１】
本考案は、エアロビクスステップに関り、特に踏み面の増大機能を有するオリジナルなエアロビクスステップ構造形態に関する。  
【背景技術】
【０００２】
エアロビクスステップは、エアロビクスダンスに用いられる補助工具として、ダンサーが踊っているとき、踊りに階段のように段階的な高さの変化を持たせ、よりバラエティ豊富で、よりよい運動・エクササイズ効果を達成させることができる。  
【０００３】
従来のエアロビクスステップ構造は設計上、決まった高さのある形態のほかに、使用のとき、様々な高さのニーズに応じて、重ねて組み立てられ、高さ増減可能な構造形態をも開発されて来た。  
【０００４】
しかし、従来のエアロビクスステップは、実際に使用した経験から、依然として次のような問題点が存在していることが分かった。  
【０００５】
エアロビクスダンスは、ダンスにより、一人踊り、二人踊り、フィギュアダンスなどの形式があり、また、ダンスの形式に応じるため、エアロビクスステップの適用面積の増減が必ず求められるが、現在のやりかたは通常、直接に二組のエアロビクスステップを並べて使用して行われている。しかし、並べられているこの二組のエアロビクスステップの間は、単なる接触状態のみにあり、相互に止められ、連結、位置決められるという関係が存在しない。それで、ダンサーがそれを踏んでいるとき、きちんと並んでいる二組のエアロビクスステップが力を受けて、それぞれ容易に移動し、次第にずれていくので、ダンサーが常に手で、それらを元の位置に戻すように調整しなければならないから、必要でない手間と不便さが生じる。  
【０００６】
それゆえ、上述した従来のエアロビクスステップ構造に存在している問題点について、より理想的で、実用性のあるオリジナルな構造を研究開発するのは、使用者が望むことで、関連業界がそれを突破するようと考える目標と方法でもある。
【０００７】
それを鑑みて、発明者が関連製品の製造開発と設計に携わる長年の経験を持って、上述した目標について、詳しく設計して、慎重に評価したうえ、ようやく実用性のある本考案を得られたわけである。
【考案の概要】
【考案が解決しようとする課題】
【０００８】
本考案は、踏み面の増大と連結機能を有するエアロビクスステップ構造を提供することを目的とし、解決しようとする問題点は、より理想的で実用性のあるオリジナルなエアロビクスステップ構造の開発をすることである。  
【課題を解決するための手段】
【０００９】
本考案の課題を解決するための技術特徴として、踏み面、周側壁と底部を備えてなるステップ本体が備わり、該ステップ本体の周側壁において、少なくとも一つの組立てに供する側向に設けられる側向増大連結部が備わり、該側向増大連結部は、間隔を置いて設けられる雄型連結体または雌型連結体を備えてなり、そして、該ステップ本体の周側壁における組立てに供するための側向は、側辺を突き当てて、ぴったり付けるように設けられ、組立機能を持たないほかの側向は、プリセット形態に設けられ、前述した突き当てて、ぴったり付ける形態に制限されないことを特徴とする該エアロビクスステップ構造であり、このオリジナルな設計により、本考案は背景技術に比べれば、該側向増大連結部の増設により、同一形態の二エアロビクスステップ構造間が、該側向増大連結部を通じて、相互に嵌め合い、踏み面が増大、連結され、位置決めが行われるようになり、そこで、エアロビクスステップの踏み面は使用者のニーズに応じて、多方向に組立られ、増大され、そして相互に組み立てられる各ステップ本体間が相互に止められ、連結、位置決められるようになり、しっかりと安定し、錯誤動作防止が可能、使用のとき、より便利で使いやすい実用性、進歩性がある。
【考案の効果】
【００１０】
本考案による効果向上の事実は次の通り。  
本考案に掲示した“踏み面の増大と連結機能を有するエアロビクスステップ構造”は、該ステップ本体の周側壁にある対向した各側向に該雄型、雌型連結体を設置して、側向増大連結部が設けられるオリジナルな構造形態設計であり、該側向増大連結部の設置により、同一形態の二エアロビクスステップ構造間が、該側向増大連結部を通じて、相互に嵌め合い、踏み面が増大、連結され、位置決めが行われるようになり、そこで、エアロビクスステップの踏み面は使用者のニーズに応じて、多方向に組立られ、増大され、そして、相互に組み立てられる各ステップ本体間が相互に止められ、連結、位置決められるようになり、しっかりと安定し、錯誤動作防止が可能、使用のとき、より便利で使いやすい実用性、進歩性がある。  
【００１１】
本考案による新しい効果が次のように生じる。  
該ステップ本体の底部ある各辺の角エリアに高さ調整脚台を設置、該ステップ本体の底部にある中央エリアに脚台収納槽を凹設している構造の実施形態設計により、高さ調整脚台を使用しないとき、直接に外して、該脚台収納槽に収納、位置決められることになり、それにより、該ステップ本体自身にその関連部位が収納されることを達成させ、特に部品の収納空間が削減可能、簡単に取り出せ、高さ調整脚台の紛失を有効に防ぐというメリットがある。
【図面の簡単な説明】
【００１２】
【図１】本考案のエアロビクスステップ構造の好適な実施例の立体斜視図。
【図２】本考案の側向増大連結部が組立、連結される形態の平面底面図。
【図３】本考案のエアロビクスステップ構造が連結、増大される形態の実施図一。
【図４】本考案のエアロビクスステップ構造の連結、増大される形態の実施図二。
【図５】本考案のステップ本体の底部に高さ調整脚台が組み立てられている実施例の分解立体図。
【図６】本考案のステップ本体の底部に高さ調整脚台が組み立てられている実施例の組立立体図。
【図７】本考案のステップ本体の底部に高さ調整脚台を収納するための脚台収納槽が設けられている平面底面図。
【図８】本考案の二ステップ本体が相互に重なり、フレーム縁が環状肩部に嵌め込まれて位置決められている実施例の斜視図。
【図９】本考案の雄、雌型連結体の設置形態におけるもう一つの実施例の立体斜視図。
【図１０】本考案の雄、雌型連結体の設置形態における更にもう一つの実施例の立体斜視図。
【図１１】本考案の雄、雌型連結体の設置形態における更にもう一つの実施例の局所断面図。
【考案を実施するための形態】
【００１３】
図１、図２に示すのは、本考案の踏み面の増大と連結機能を有するエアロビクスステップ構造の好適な実施例であるが、これらの実施例が説明に用いられるのみで、特許請求の際、これらの構造に制限されないものとする。
【００１４】
踏み面１１、周側壁１２と底部１３を備えてなり、プラスチック材で作られるが、それに限らないステップ本体１０が備わり、該ステップ本体１０は、方形面または長方形面の形態に設けられてもよいが、該周側壁１２は、四つの側向が設けられており、例えば、本実施例の図１に示すステップ本体１０のように、該踏み面１１は、長方形面の形態であり、そのほか、該ステップ本体１０は、方形面、長方形面、多辺形面、円形分割面（例えば、二分の一、四分之一の円形分割面など）、楕円形分割面のいずれかの形態に設けられてもよい。
該ステップ本体１０の周側壁１２には、少なくとも一つの組立てに供する側向に設けられる側向増大連結部２０が備わり、該側向増大連結部２０は、間隔を置いて設けられる雄型連結体２１または雌型連結体２２を供えてなり（本実施例は、両者を共に使用している形態）、本実施例にあっては、該ステップ本体１０の周側壁１２において、相互に縦向きに対向した、両側に間隔を置いて設けられた雄型連結体２１、及び、該周側壁１２において、相互に縦向きに対向した、他方の両側に間隔を置いて設けられた雌型連結体２２により、限りなく連結増大できる組立が可能になり、また、該雄型連結体２１は、Ｔ字形突出しブロック形態に設けられてもよいが、該雌型連結体２２は、該周側壁１２の底部から上へ縦向きに切断された長さで、側向きに該周側壁１２を貫通した切断型貫通切込みに設けられ、このような形態が組み合わさって、よりしっかりと組立られ、外れ防止対策に有効である。
該ステップ本体１０の周側壁１２における組立てに供する側向は、側辺を突き当てて、ぴったり付けるように設けられ、組立機能を持たないほかの側向は、プリセット形態に設けられ、前述した突き当てて、ぴったり付ける形態に制限されることなく、その他の形態に設けられてもよいことは勿論である。
【００１５】
上述の構造、組立設計により、本考案の該エアロビクスステップ構造は使用の時、図１に示すように、同一形態の二エアロビクスステップ構造間が、該側向増大連結部２０の雄、雌型連結体２１、２２を通じて、相互に嵌め合い、組立られる（詳しくは、図２に示す通り）構造により、ステップ本体１０の踏み面が増大、連結され、位置決めが行われる状態になり、増大される具体的な形態は、複数の形態があり、図３に示すのは、二つのステップ本体１０が並んで連結、増大される形態であり、それに、図４に示すのは、三つのステップ本体１０によるＬ字形の連結、増大される実施形態であり、もちろん、ここから推測できるように、より多くのステップ本体１０による連結、増大される形態、例えば、十字形または口字形に設けることができるものであらゆる変形連結が可能である。
【００１６】
更に、図５に示すように、該ステップ本体１０の底部にある各辺の角エリアにはまた、高さ調整脚台３０が組み立てられ、各該高さ調整脚台３０の上部とステップ本体１０の底部１３にある各辺の角エリアには、それに合わせるための組立位置決め部３１、１４が設けられ、それにより、各該高さ調整脚台３０の組立状態を位置決めさせるようにする。また更に、該ステップ本体１０の底部１３にある中央エリアには、複数の脚台収納槽１５が凹設され、各該脚台収納槽１５には、各該高さ調整脚台３０がしっかりと挿入、収納されるように設けられ（図７）ており、この実施形態の設計により、高さ調整脚台３０を使用しないとき、直接に外して、該ステップ本体１０にある脚台収納槽１５に収納され、位置決められることになり、それにより、該ステップ本体１０自身にその関連部位が収納されることを達成させ、特に部品の収納空間が削減可能、簡単に取り出せ、高さ調整脚台３０の紛失を有効に防ぐというメリットがある。  
【００１７】
更に、図５に示すように、各該高さ調整脚台３０の外側には、ステップ本体１０の周側壁１２にある側向の増大連結部２０の雄型連結体２１または雌型連結体２２に対応するために、同一形態の雄型連結体２１Ｂまたは雌型連結体２２Ｂも設けられており、それにより、各該脚台収納槽１５各該高さ調整脚台３０の外側に対応するための雄型連結体２１Ｂは、該雄型連結体２１Ｂが嵌め込む回避縁１６が設けられ（詳しくは、図７に示す通り）、それで、高さ調整脚台３０を脚台収納槽１５を組み立てるとき、該突き出した雄型連結体２１Ｂがじゃまにならないように行われる。
【００１８】
図８に示すように、該ステップ本体１０の踏み面１１周辺には更に、環状肩部１７が設けられ、該ステップ本体１０の底部１３は、それに対応するためのフレーム縁１８が設けられ、それにより、同一形態の二ステップ本体１０が相互に重なり、該フレーム縁１８により環状肩部１７に嵌め込まれ、位置決められるように設けられている。
【００１９】
図９に示すのは、該雄型連結体２１、雌型連結体２２の設置形態のもう一つの実施例であり、本例では、ステップ本体１０の周側壁１２の各側にはすべて、雄型連結体２１と雌型連結体２２が共に設けられており、本実施例は、図１に示す実施例との相違点と言えば、相互に対向して組み立てられる側向増大連結部２０間には、雄、雌型連結体２１、２２が対向して設けられていることである。  
【００２０】
図１０、図１１に示すのは、該雄型連結体２１Ｃ、雌型連結体２２の設置形態の更にもう一つの実施例であり、本例では、該ステップ本体１０の周側壁１２の各側向にはすべて、雌型連結体２２が設けられ、該雄型連結体２１Ｃは、独立した組立部品として設けられているが、該雄型連結体２１は、二つの対称した嵌込側２１３が設けられ、各該嵌込側２１３は、ステップ本体１０の周側壁１２にある雌型連結体２２と嵌め合い、連結され、位置決められるように設けられている（図１１）。  
【００２１】
上述の実施例に掲示したのは、本考案を具体的に説明するために用いられるものであり、文中で特定の専門用語で説明してきたが、それを以って、本考案の実用新案登録請求範囲を制限してはならないとし、当該技術分野が分かる者は、本考案の精神やコンセプトを理解したうえ、その変更や改造を行って、それと同等な効果を得たしても、それらの変更や改造は、後述の実用新案登録請求範囲に含まれるものとする。
【符号の説明】
【００２２】
１０  ステップ本体          
１１  踏み面            
１２  周側壁            
１３  底部            
１４  組立位置決め部      
１５  脚台収納槽    
１６  回避縁            
１７  環状肩部        
１８  フレーム縁            
２０  側向増大連結部  
２１、２１Ｂ、２１Ｃ  雄型連結体        
２２、２２Ｂ  雌型連結体      
３０  高さ調整脚台        
３１  組立位置決め部        
【図１】
0003173085.tif 000003
【図２】
0003173085.tif 000004
【図３】
0003173085.tif 000005
【図４】
0003173085.tif 000006
【図５】
0003173085.tif 000007
【図６】
0003173085.tif 000008
【図７】
0003173085.tif 000009
【図８】
0003173085.tif 000010
【図９】
0003173085.tif 000011
【図１０】
0003173085.tif 000012
【図１１】
0003173085.tif 000013
【手続補正書】
【提出日】平成23年11月16日(2011.11.16)
【手続補正１】
【補正対象書類名】実用新案登録請求の範囲
【補正対象項目名】全文
【補正方法】変更
【補正の内容】
【実用新案登録請求の範囲】
【請求項１】
踏み面１１、周側壁１２、及び底部１３を備えてなるステップ本体１０が備わり、該ステップ本体１０は、方形面、長方形面、多辺形面、円形分割面、楕円形分割面のいずれかの形態に設けられているが、
該ステップ本体１０の周側壁１２には、少なくとも一つの組立てに供する側面に設けられる連結部２０を有し、該連結部２０は、間隔を置いて設けられる雄型連結体２１または雌型連結体２２よりなり、
該ステップ本体１０の周側壁１２における組立てに供するための側面は、別のステップ本体１０の周側壁１２における側面にぴったり付けるように設けられ、
それにより、同一形態の２つのエアロビクスステップ構造間が該連結部２０を通じて、相互に嵌め合い、踏み面が増大、連結されて、位置決めが行われることを特徴とする踏み面の増大と連結の機能を有するエアロビクスステップ構造。
【請求項２】
踏み面１１、周側壁１２、底部１３、及び連結部２０を備えてなる前記ステップ本体１０は、前記ステップ本体１０の前記底部１３にある各辺の角エリアに、高さ調整脚台３０が組み立てられ、該高さ調整脚台３０の上部と前記ステップ本体１０の前記底部１３にある各辺の角エリアには組立位置決め部１４、３１が設けられ、それにより、前記高さ調整脚台３０のそれぞれの組立状態を位置決めさせるようにするが、前記高さ調整脚台３０のそれぞれの外側には、前記ステップ本体１０の前記周側壁１２にある前記側面の連結部２０の前記雄型連結体２１または前記雌型連結体２２に対応するために、同一形態の雄型連結体２１Ｂまたは雌型連結体２２Ｂが設けられてあり、それに、前記ステップ本体１０の前記底部１３にある中央エリアには、複数の脚台収納槽１５が凹設され、該脚台収納槽１５のそれぞれには、前記高さ調整脚台３０のそれぞれがしっかりと挿入、収納されるように設けられ、加えて、前記高さ調整脚台３０のそれぞれの雄型連結体２１Ｂに対応する前記脚台収納槽１５のそれぞれの部分には、切り込み１６が設けられていることを特徴とする請求項１に記載の踏み面の増大と連結の機能を有するエアロビクスステップ構造。
【請求項３】
前記連結部２０の前記雄型連結体２１は、Ｔ字形突出しブロックであり、前記雌型連結体２２は、前記周側壁１２の底部から上へ前記周側壁１２を縦向きに切断する、前記周側壁１２を貫通した切断型貫通切込みであることを特徴とする請求項１または請求項２に記載の踏み面の増大と連結の機能を有するエアロビクスステップ構造。
【請求項４】
前記ステップ本体１０の踏み面１１周辺には更に、環状肩部１７が設けられ、前記ステップ本体１０の底部１３は、それに対応するためのフレーム縁１８が設けられ、それにより、同一形態の２つのステップ本体１０が相互に重なり、該フレーム縁１８に環状肩部１７が嵌め込まれ、位置決めされるように設けられていることを特徴とする請求項１または請求項２に記載の踏み面の増大と連結の機能を有するエアロビクスステップ構造。
【請求項５】
雄型連結体２１と雌型連結体２２の設置形態は、
第１に、１のステップ本体１０の周側壁１２の側面に間隔を置いて配置される複数の雄型連結体２１が設けられ、前記１のステップ本体１０の周側壁１２の側面に対向する、別のステップ本体１０の周側壁１２の側面に間隔を置いて配置される複数の雌型連結体２２が設けられている場合、
第２に、１のステップ本体１０の周側壁１２の各側面に、雄型連結体２１と雌型連結体２２が共に設けられ、前記１のステップ本体１０の周側壁１２の側面に対向する、別のステップ本体１０の周側壁１２の側面にも、雄、雌型連結体２１、２２が対向して設けられている場合、
第３に、１のステップ本体１０の周側壁１２の各側面に雌型連結体２２が設けられ、該雄型連結体２１は独立した組立式部品として設けられているが、該雄型連結体２１には、２つの嵌込側部２１３が対称的に設けられ、各嵌込側部２１３は、前記１のステップ本体１０の周側壁１２にある雌型連結体２２と嵌め合い、連結され、位置決められるように設けられている場合、
のいずれか一つの形態で行われることを特徴とする請求項１または請求項２に記載の踏み面の増大と連結の機能を有するエアロビクスステップ構造。